(57)【要約】【課題】電源線と複数の同軸線からなるアンテナコードのハーネスにおいて、電源線を外部干渉材から簡単に保護できるようにする。【解決手段】アンテナで受信した電波信号を伝える少なくとも３本以上の同軸線で、アンテナアンプに電源を供給する電源線を囲んだ状態に配列させ、前記配列させた領域の少なくとも長さ方向の両端を粘着テープで部分的に結束している。【選択図】図２
2013219849.tif 000002
【特許請求の範囲】
【請求項１】
アンテナで受信した電波信号を伝える少なくとも３本以上の同軸線で、アンテナアンプに電源を供給する電源線を囲んだ状態に配列させ、前記配列させた領域の少なくとも長さ方向の両端を粘着テープで部分的に結束していることを特徴とするアンテナコードの配索構造。
【請求項２】
請求項１に記載のアンテナコードの配索構造の組立方法であって、
平板の中心に電源線挿通穴、周囲に複数の同軸線挿通穴を設けた目板を備えた電線配列治具を設け、
ワイヤハーネス組立作業台の電線布線領域の所要位置に前記電線配列治具の目板を垂直に配置し、
前記電線配列治具の電源線挿通穴に電源線を挿通し、周囲の同軸線挿通穴に同軸線を挿通し、電源線を複数の同軸線で囲んだ状態として粘着テープを部分的に巻き付けて電源線と同軸線を位置決め固定し、その後、前記電線配列治具を取り外しているアンテナコード配索構造の組立方法。
【請求項３】
前記電線配列治具に設ける前記電源線挿通穴及び同軸線挿通穴は貫通穴からなり、該電線配列治具の取り外しは配線方向に沿って引き出して取り外し、
または、前記電源線挿通穴及び同軸線挿通穴は矩形状の目板の一方側の側方からの切込ラインにそれぞれ連通させ、これら電源線挿通穴及び同軸線挿通穴に電源線および同軸線を配線方向と直交する方向から切込ラインに横入れして挿通し、該電線配列治具の取り外しは横方向へ引き出している請求項２に記載のアンテナコード配索構造の組立方法。
【請求項４】
請求項１に記載のアンテナコードの配索構造の組立方法であって、
矩形状の水平基板の幅方向の中央部に上面に凹部を設けた突出台を備え、該突出台の左右外面側の基板上の窪みを左右同軸線配線部、前記突出台の凹部内の底部を電源線配線部、前記凹部内の上部を同軸線配線部とした電線配列治具を設け、
ワイヤハーネス組立作業台の電線布線領域の所要位置に前記電線配列治具を配置し、
前記電線配列治具の左右同軸線配線部にそれぞれ同軸線を配線し、電源線配線部に電源線を配線し、該電源線の上部に同軸線を重ねて配線し、
前記電線配列治具で前記電源線の周囲を同軸線で囲んだ状態として粘着テープを部分的に巻き付けて電源線と同軸線を位置決め固定し、その後、前記電線配列治具を取り外しているアンテナコード配索構造の組立方法。
【請求項５】
前記電線配列治具の下端にネジと締結するネジ溝を設け、
または、係止羽根を備えたクリップを突設し、前記ワイヤハーネス組立作業台に設けた取付穴に前記電線配列治具の下端または前記クリップを着脱自在に取り付けるものとしている請求項２乃至請求項４のいずれか１項に記載のアンテナコード配索構造の組立方法。
【発明の詳細な説明】
【技術分野】
【０００１】
本発明は車載用アンテナコードの配索構造および組立方法に関し、詳しくは、複数本の同軸線と電源線を含むアンテナコードの内、外部干渉材から保護が必要な電源線を部品点数を増やすことなく、簡単に保護できるようにするものである。
【背景技術】
【０００２】
車載用アンテナコードとして用いられる配線材はアンテナで受信した電波信号を伝える同軸線と、アンテナアンプへ電源を供給する電源線とからなり、これら配線材にコネクタを接続すると共に、これら配線材の保護材および車体等への係止用クランプ等を取り付けてアンテナコードのハーネスを組み立てている。
【０００３】
前記アンテナコードのハーネスに取り付ける保護材は、主として配索途中の車体パネルのエッジ、バリ等から電線を保護することが好ましい。特に、電源線の絶縁被覆をエッジやバリが破断して芯線と接触するのを防止する必要があり、よって、アンテナコードのハーネスのうち電源線のみの確実な保護が求められる場合がある。
【０００４】
しかしながら、前記電源線と同軸線とは集束してアンテナコードのハーネスとして配索しているため、電源線のみに保護材を取り付けることはワイヤハーネス組立作業上で作業性を悪化させることになる。そのため、従来は図１０に示すように、電源線Ｗｐと集束する複数本の同軸線Ｗ１〜Ｗ４も電源線Ｗｐと共に保護チューブ１００等からなる保護材に通して保護し、該保護チューブ１００の少なくとも長さ方向の両端に配線材と保護材とに粘着テープＴを巻き付けて固着している。
【０００５】
従来、本出願人は、実開平７−３８７０８号において、図１１に示すように、結束バンド１１０に重要回路電線保持部１１０ａを設け、該重要回路電線保持部１１０ａで重要回路用電線Ｗ−Ｓを保持すると共に、その周囲に一般回路用電線Ｗを位置させて結束バンド１１０を結束し、重量回路用電線Ｗ−Ｓの周囲を一般回路用電線Ｗで包囲して重要回路用電線Ｗ−Ｓを保護する技術を提案している。
【先行技術文献】
【特許文献】
【０００６】
【特許文献１】実開平７−３８７０８号
【発明の概要】
【発明が解決しようとする課題】
【０００７】
前記図１０に示す現在汎用されている保護材で電源線と共に同軸線も保護チューブ内を挿通して保護する場合、保護チューブが大径化し、配索スペースを取ると共に保護チューブが重量化およびコスト高になる。さらに、保護チューブ内を通して保護する領域が剛性が高まり配索過程で曲げにくくなる等の問題がある。
【０００８】
一方、特許文献１の図１１に示す結束バンド１１０を用いる場合、該結束バンド１１０自体が特殊な形状であるためコスト高になる。また、重要回路電線保持部１１０ａで重要回路用電線（電源線）Ｗ−Ｓを保持した状態で、一般回路用電線Ｗを周囲に配置してバンドを巻き付ける工程で、重要回路用電線Ｗ−Ｓが重要回路電線保持部１１０ａから脱落し、一般回路用電線で囲まれた中心位置に保持できない恐れもある。
【０００９】
本発明は前記問題に鑑みてなされたもので、図１０に示す保護材および図１１に示す特殊な結束バンド等を用いることなく、電源線を外部干渉材から確実に保護することを課題としている。
【課題を解決するための手段】
【００１０】
前記課題を解決するため、本発明は、アンテナで受信した電波信号を伝える少なくとも３本以上の同軸線で、アンテナアンプに電源を供給する電源線を囲んだ状態に配列させ、前記配列させた領域の少なくとも長さ方向の両端を粘着テープで部分的に結束していることを特徴とするアンテナコードの配索構造を提供している。
【００１１】
前記のように、少なくとも３本以上、好ましくは４本の同軸線を用い、これらの外径が比較的大きい同軸線を等間隔で配置して中心の電源線を囲むと、同軸線が電源線の保護材として機能し、車体パネルのエッジやバリ等が中心の電源線と接触し、電源線に破断等の損傷を発生させるのを防止できる。よって、電源線と同軸線とを保護チューブに挿通したり、保護シートで囲む必要なく、同軸線と電源線とを前記配列を固定するために部分的にテープ巻き固着するだけでよく、保護材を用いる場合の肥大化、コスト増および剛性増加による曲げにくさの発生を防止できる。
【００１２】
前記本発明のアンテナコードの配索構造とするための第１の組立方法として、本発明は、
目板の中心に電源線挿通穴、該電源線挿通穴の全周に周方向に間隔をあけて複数の同軸線挿通穴を設けている電線配列治具を設け、
ワイヤハーネス組立作業台の電線布線領域の所要位置に前記電線配列治具を垂直に配置し、
前記電線配列治具の電源線挿通穴に電源線を挿通し、周囲の同軸線挿通穴に同軸線を挿通し、電源線を複数の同軸線で囲んだ状態として粘着テープを部分的に巻き付けて電源線と同軸線を位置決め固定し、その後、前記電線配列治具を取り外しているアンテナコード配索構造の組立方法を提供している。
【００１３】
前記電線配列治具に設ける前記電源線挿通穴及び同軸線挿通穴は貫通穴からなり、該電線配列治具の取り外しは配線方向に沿って引き出して取り外してもよい。
【００１４】
また、前記電源線挿通穴及び同軸線挿通穴は目板の側方からの切込ラインにそれぞれ連通させ、これら電源線挿通穴及び同軸線挿通穴に電源線および同軸線を配線方向と直交する方向から切込ラインに横入れして挿通し、該電線配列治具の取り外しは横方向へ引き出してもよい。
このように、電線を配線方向と直交する横方向から電線配列治具の挿通穴に挿通させることができるようにすると、電線端末にコネクタを接続する場合等に使用でき、かつ、電線挿通後に電線配列治具を横方向へ取り出せるために、取り外し作業を簡単に行うことができる。
【００１５】
また、前記本発明のアンテナコードの配索構造の第２の組立方法として、
矩形状の水平基板の幅方向の中央部に上面に凹部を設けた突出台を備え、該突出台の左右外面側の基板上の窪みを左右同軸線配線部、前記突出台の凹部内の底部を電源線配線部、前記凹部内の上部を同軸線配線部とした電線配列治具を設け、
ワイヤハーネス組立作業台の電線布線領域の所要位置に前記電線配列治具を配置し、
前記電線配列治具の左右同軸線配線部にそれぞれ同軸線を配線し、電源線配線部に電源線を配線し、該電源線の上部に同軸線を重ねて配線し、
前記電線配列治具で前記電源線の周囲を同軸線で囲んだ状態として粘着テープを部分的に巻き付けて電源線と同軸線を位置決め固定し、その後、前記電線配列治具を取り外しているアンテナコード配索構造の組立方法を提供している。
【００１６】
前記第２の組立方法は、電線配列治具の表面に設けた凹部と窪みを電源線および同軸線の配線部とし、凹部および窪みに対して同軸線および電源線を上方からはめ込んで配線すればよく、電線の穴通し作業を不要とでき、電線の布線作業を簡単にできる利点がある。
【００１７】
前記第１、第２の組立方法に用いる電線配列治具はいずれも、目板の下端から支軸部を突設し、その下端にネジと締結するネジ溝または、係止羽根を備えたクリップを突設し、前記ワイヤハーネス組立用の作業台に設けた取付穴に前記を着脱自在に取り付けるものとしていることが好ましい。
【発明の効果】
【００１８】
前述したように、本発明の車載用アンテナコードの配索構造によれば、電源線と同軸線とからなる配線材のうち、車体パネルのエッジやバリ等の外部干渉材からの保護が特に求められる電源線を外径が比較的大きい同軸線で囲み、同軸線を利用して、電源線に外部干渉材が直接接触できない配線材の配列構造としている。該配列構造を固定するために前記配線材を部分的に粘着テープを巻き付けるだけでよく、従来必要とされた保護チューブ等を不要とできる。その結果、アンテナコードのハーネスの肥大化、重量化、コスト増を抑制でき、かつ、ハーネスの曲げやすさを損なわず、配索作業性を阻害しない。
【００１９】
本発明の車載用アンテナコードの配索構造の組立方法では、電源線が３本以上の同軸線の中心に位置するように強制される形状とした電線配列治具を用いて、同軸線と電源線とを布線してハーネスを組み立てるため、正確に電源線を同軸線で囲んで保護することができる。該電線配列治具はハーネス組立時のみ用い、かつ、ハーネス組立時には繰り返し使用できるため、コスト増にならない。
【図面の簡単な説明】
【００２０】
【図１】第発明のアンテナコードの配索構造を示す斜視図である。
【図２】図１のＩＩ−ＩＩ線断面図である。
【図３】第１実施形態の電線配列治具を示し、（Ａ）は正面図、（Ｂ）は側面図である。
【図４】前記電線配列治具を用いてワイヤハーネス組立用作業台でアンテナコードのハーネスを組み立てている状態を示す斜視図である。
【図５】前記第１実施形態の電線配列治具の第１変形例を示す正面図である。
【図６】前記第１実施形態の電線配列治具の第２変形例を示す正面図である。
【図７】前記第１実施形態の電線配列治具の第３変形例を示す正面図である。
【図８】第２実施形態の電線配列治具の斜視図である。
【図９】第２実施形態の電線配列治具を用いた電源線および同軸線の配列方法を示す斜視図である。
【図１０】従来例を示す図である。
【図１１】他の従来例を示す図である。
【発明を実施するための形態】
【００２１】
以下、本発明の実施形態を図面を参照して説明する。
図１乃至図４は第１実施形態を示す。
図１にアンテナコード１のハーネス５を示す。該アンテナコード１はラジオ、デジタルテレビ、ＧＰＳ、電話等の通信モジュールのアンテナ（図示せず）で受信する電波信号を伝送する同軸線２と電源線３との通信線からなる。２本の同軸線２Ａ、２Ｂの端末を１つのコネクタ４Ａと接続し、２本の同軸線２Ｃ、２Ｄと電源線３の端末を他の１つのコネクタ４Ｂと接続している。前記４本の同軸線２Ａ〜２Ｄと１本の電源線３とは１つのハーネス５として集束して車両内部に配索している。
【００２２】
前記同軸線２Ａ〜２Ｄは図２に示すように軟銅線等からなる内部導体１１と該内部導体１１の外周面を覆う絶縁被覆層１２とからなるコア線１３と、コア線１３の外周面を覆う軟銅線の編組線からなる外部導体１４と、外部導体１４の外周面を覆う絶縁被覆層のシース１５とからなる。前記外部導体１４がシールド層で、コア線１３ヘのノイズを遮断すると共にコア線１３から発生する電波信号が他の電線にノイズとして作用するのを遮断している。電源線３は軟銅線等からなる多数の素線の撚線からなるコア線１６を絶縁被覆層１７で被覆している電線からなる。
【００２３】
前記４本の同軸線２Ａ〜２Ｄと１本の電源線３とからなる１つのアンテナコードのハーネス５は、電源線３を中心とし、その外周に４本の同軸線２Ａ〜２Ｄを配置して電源線３の全周を囲む形態で配列している。このように１本の電源線３を４本の同軸線２Ａ〜２Ｄで囲む配列は、車体パネルのエッジやバリが発生している配索領域だけでもよいし、前記電源線３と同軸線２Ａ〜２Ｄとからなる５本の配線材が集束された領域全長を前記配列形態としてもよい。
【００２４】
また、前記配列形態で前記５本の電線を位置決め固定するため、前記配列部分の長さ方向の両端を粘着テープ１８Ａ、１８Ｂで固着している。前記配列部分の長さが大であったり、屈曲により配列に乱れが発生しやすい場合には、長さ方向の両端に挟まれた中間領域に所要間隔をあけて粘着テープ１８Ｃを巻き付けて配列状態で位置決め固定してもよい。
【００２５】
前記図１、２に示す配列状態に配線材を組み立てる方法を以下に説明する。
図４に示すワイヤハーネス組立用の作業台２０上に布線用のＵ形状の電線受け治具２１を立設し、該電線受け治具２１で電線を支承している。
前記アンテナコードのハーネス５の略全長で、電源線３を同軸線２Ａ〜２Ｄで囲む形態とする場合、布線領域の上流に電線配列治具２２を前記作業台２０上に立設する。
【００２６】
前記電線配列治具２２は図３（Ａ）（Ｂ）に示す形状とした樹脂成形品からなる。即ち、四角形状の平板２３の中心に１つの電源線挿通穴２４を貫通して穿設していると共に、その周囲に９０度間隔をあけて４つの同軸線挿通穴２５Ａ〜２５Ｄを貫通して穿設した目板を備えている。
前記電源線挿通穴２４および同軸線挿通穴２５Ａ〜２５Ｄを水平方向、平板２３を垂直方向とした状態で、平板２３の下端面の中央より支軸部２６を下向きに突設し、その下端にネジＮと締結するネジ溝２７を設けている。該支軸部２６の下端部を前記作業台２０に設けた取付穴に挿入係止し、ネジＮと締結して平板２３を所要高さに立設している。取り外し時にはネジＮをゆるめて支軸部２６を作業台２０上に引き上げ、布線方向の下流に引き抜くものとしている。
【００２７】
前記目板からなる電線配列治具２２を作業台２０上に立設し、電源線３を中心の電源線挿通穴２４に通し、残りの４本の同軸線２Ａ〜２Ｄをそれぞれ同軸線挿通穴２５Ａ〜２５Ｄに通す。電線配列治具２２を通した位置で電源線３の周囲を４本の同軸線２Ａ〜２Ｄで囲んだ配列となり、下流側の電線受け治具２１で電源線３および同軸線２Ａ〜２Ｄを支承して布線する。
【００２８】
前記１本の電源線３と４本の同軸線２Ａ〜２Ｄを布線作業終了後、電線配列治具２２に近接した上流側で粘着テープ１８Ａを巻き付け、電源線３を中央とし、同軸線２Ａ〜２Ｄを外周に配置した状態で位置決め固定する。
次いで電線配列治具２２を作業台２０に固定するネジＮを緩め、支軸部２６を作業台２０の上方へ引き抜いた状態で、電線配列治具２２を下流へと移動させ、電源線３を４本の同軸線２Ａ〜２Ｄで囲んだ状態に再度配列しなおし、所要間隔をあけて粘着テープ１８Ｃを巻き付けて部分的に固着し、前記配列を保持する。最終的に下流端に近接した位置でも粘着テープ１８Ｂを巻き付け、全長にわたって電源線３を同軸線２Ａ〜２Ｄで囲んだ状態に配列保持し、図１に示すアンテナコードのハーネス５として組み立てる。
【００２９】
前記した目板を備えた電線配列治具２２を用いると、電源線３を同軸線２Ａ〜２Ｄで囲んだ状態に確実に配列し、粘着テープ１８（１８Ａ、１８Ｂ、１８Ｃ）を部分的に巻き付けてハーネス５として集束できる。このように、保護チューブや保護シートを取り付けることなく、ハーネス５の肥大化、重量化、コスト増および曲げ難さを招くことなく、電源線３の保護を図ることができる。
【００３０】
前記電線配列治具２２の変形例を図５〜図７に示す。
図５に示す第１変形例では、支軸部２６の下端にネジ溝を設ける代わりに、羽根状のクリップ２８を一体に形成している。該クリップ２８は作業台に設けた係止穴に挿入するだけでワンタッチで固定できる。また、電線配列治具２２を作業台から取り外す時も、クリップ２８の羽根部を収縮させると作業台から容易に取り外すことができる。
【００３１】
図６に示す第２変形例では、電線配列治具２２の平板２３の中央に１つの電源線挿通穴２４を設けると共に、その周囲に３つの同軸線挿通穴２５Ａ〜２５Ｃを１２０度間隔をあけて設けている。この場合、中央に配線する電源線の外周を３本の同軸線で囲んでも、電源線３を外部干渉材から保護することができる。
【００３２】
図７に示す第３変形例では、平板２３に設ける電源線挿通穴２４、同軸線挿通穴２５Ａ〜２５Ｄは貫通穴とせず、矩形状の平板２３の一方側の側方から斜め下方に延在する切込ライン２４Ｌ、２５ＡＬ〜２５ＤＬにそれぞれ連通させている。
電源線および同軸線はそれぞれを配線方向と直交する方向から、前記切込ライン２４Ｌ、２５ＡＬ〜２５ＤＬを通して電線挿通穴２４及び同軸線挿通穴２５Ａ〜２５Ｄへ挿入および離脱できるようにしている。
【００３３】
前記のように配線方向と直交する方向から、所謂、横入れで電源線挿通穴２４に電源線を、同軸線挿通穴２５Ａ〜２５Ｄに同軸線を挿通できるものとすると、これら電線端末にコネクタを接続している場合にも、電源線３及び同軸線２Ａ〜２Ｄを電線配列治具２２を用いて、電源線３を同軸線２Ａ〜２Ｄで囲む配列とすることができる。また、該電線配列治具２２を取り外す際も、これら電線群の下流端まで移動させる必要はなく、所要位置で横出しして取り外すことができる。
【００３４】
図８および図９に第２実施形態の電線配列治具を示す。
該電線配列治具３０は、矩形状の水平基板３１の幅方向の中央部に両側面を互いに離反する方向へ突出させた突出台３２を設け、該突出台３２の上面に凹部３２ａを設けると共に、両側面と水平基板３１の上面との間に窪み３３、３４を設けている。前記左右の窪み３３、３４を左右同軸線配線部、前記突出台３２の凹部３２ａ内の底部を電源線配線部、前記凹部３２ａ内の上部を同軸線配線部としている。
前記水平基板３１の下面中央に支軸部３５を突設し、該支軸部３５の下端に羽根式のクリップ３６を一体成形で設けている。
【００３５】
前記図４と同様に、ワイヤハーネス組立用の作業台の布線領域の所要位置に前記電線配列治具３０を立設する。
図９に示すように、電線配列治具３０の左右の窪み３３、３４からなる同軸線配線部にそれぞれ同軸線２Ａ、２Ｂを配線し、凹部３２ａの底部側の電源線配線部に電源線３を配線し、該電源線３の上部に同軸線２Ｃを重ねて配線する。該配線で電源線３を同軸線２Ａ〜２Ｃで囲んだ状態となる。この状態で粘着テープを部分的に巻き付けて前記配列状態で位置決め固定する。
他の作業手順は第１実施形態の電線配列治具２２を用いる場合と同様であるため、説明を省略する。
【００３６】
前記電線配列治具３０は凹部３２ａ、窪み３３、３４に上方から同軸線２Ａ〜２Ｃ、電源線３を挿入するだけで良いため、電線配列治具３０への同軸線および電源線３の挿通作業性が良い。また、電線配列治具３０から同軸線および電源線３を上方へ浮かせるだけで取り外すことができ、この点でも作業性が良い。さらに、同軸線および電源線の端末にコネクタを接続していても電線配列治具３０を用いることができる利点もある。
【符号の説明】
【００３７】
１  アンテナコード
２（２Ａ〜２Ｄ）同軸線
３  電源線
５  アンテナコードのハーネス
１８  粘着テープ
２０  ワイヤハーネス組立用の作業台
２２、３０  電線配列治具
２４  電源線挿通穴
２５Ａ〜２５Ｄ  同軸線挿通穴
２６  支軸部
２７  ネジ溝
２８  クリップ
【図１】
2013219849.tif 000003
【図２】
2013219849.tif 000004
【図３】
2013219849.tif 000005
【図４】
2013219849.tif 000006
【図５】
2013219849.tif 000007
【図６】
2013219849.tif 000008
【図７】
2013219849.tif 000009
【図８】
2013219849.tif 000010
【図９】
2013219849.tif 000011
【図１０】
2013219849.tif 000012
【図１１】
2013219849.tif 000013